(57)【要約】【課題】  操作性の高いカメラ本体、およびそのカメラ本体とそのカメラ本体に着脱自在に装着される撮像レンズユニットとからなる、操作性の高いカメラシステムを提供することを目的とする。【解決手段】  撮像レンズユニット１１０から画像信号を受け取り信号処理を行って記録する撮影モードと、記録された画像信号を読み出して該画像信号に基づく画像を前記表示画面に表示する再生モードとの２つのモードを有し、これら２つのモードを操作に応じて自在に切り換えるモード切換部１９０を備えた。【選択図】        図３
2005286497.tif 000002
【特許請求の範囲】
【請求項１】
撮影光学系と撮像素子とを備えた撮像レンズユニットと、該撮像レンズユニットが着脱自在に装着される凹形状のマウント部を備えて該マウント部に装着された撮像レンズユニットと通信を行い該撮像レンズユニットから画像信号を受け取って信号処理を行うカメラ本体とを有する、撮像レンズユニット着脱式のカメラシステムにおいて、
前記カメラ本体が、
前記マウント部開口を塞ぐとともに前記撮像レンズユニットの装着時に該撮像レンズユニットに押されて前記マウント部の凹部奥に後退するマウントバリアと、
前記マウント部への前記撮像レンズユニットの着脱を検知するセンサと、
画像信号に基づく画像を表示する表示画面と、
前記撮像レンズユニットから画像信号を受け取り信号処理を行って記録する撮影モードと、記録された画像信号を読み出して該画像信号に基づく画像を前記表示画面に表示する再生モードとを操作に応じて自在に切り換えるモード切換部とを備え、
前記モード切換部は、前記センサによる、前記撮像レンズユニットの取外しの検知を受けて強制的に再生モードに切り換えるものであることを特徴とするカメラシステム。
【請求項２】
前記カメラ本体が、複数の操作子を備え、該カメラ本体への前記撮像レンズユニットの着脱に応じて、該複数の操作子のうちの少なくとも一つの操作子の機能を切り換える機能切換部を備えたことを特徴とする請求項１記載のカメラシステム。
【請求項３】
前記カメラ本体が、前記再生モードにおいて前記表示画面に画像を表示するとともに、前記撮影モードにおいても、前記表示画面に、前記撮像レンズユニットから受け取った画像信号に基づく画像を表示するものであって、
該カメラ本体への該撮像レンズユニットの着脱に応じて、前記表示画面に表示される画像の向きを切り換える機能切換部を備えたことを特徴とする請求項１記載のカメラシステム。
【請求項４】
前記カメラ本体が、外部との通信を担う通信部を備え、該カメラ本体への前記撮像レンズユニットの着脱に応じて、該撮像レンズユニットの装着を受けて該通信部の機能をオフにするとともに該撮像レンズユニットの取外しを受けて該通信部の機能をオンにする機能切換部を備えたことを特徴とする請求項１記載のカメラシステム。
【請求項５】
前記カメラ本体が、機能を自動で切り換える自動切換モードと機能の自動切換えが禁止された手動切換モードとを有し、これら自動切換モードと手動切換モードとを切り換える切換モード切換部を備えたものであり、
前記機能切換部は、該自動切換モードが設定されている場合に作用するものであることを特徴とする請求項２から４のうちいずれか１項記載のカメラシステム。
【請求項６】
前記通信部は、無線伝送を行う通信部であることを特徴とする請求項４記載のカメラシステム。
【請求項７】
前記通信部は、有線伝送を行う通信部であることを特徴とする請求項４記載のカメラシステム。
【請求項８】
撮影光学系と撮像素子とを備えた撮像レンズユニットが着脱自在に装着される凹形状のマウント部を備えて該マウント部に装着された撮像レンズユニットと通信を行い該撮像レンズユニットから画像信号を受け取って信号処理を行うカメラ本体において、
前記マウント部開口を塞ぐとともに前記撮像レンズユニットの装着時に該撮像レンズユニットに押されて前記マウント部の凹部奥に後退するマウントバリアと、
前記マウント部への前記撮像レンズユニットの着脱を検知するセンサと、
画像信号に基づく画像を表示する表示画面と、
前記撮像レンズユニットから画像信号を受け取り信号処理を行って記録する撮影モードと、記録された画像信号を読み出して該画像信号に基づく画像を前記表示画面に表示する再生モードとを操作に応じて自在に切り換えるモード切換部とを備え、
前記モード切換部は、前記センサによる、前記撮像レンズユニットの取外しの検知を受けて強制的に再生モードに切り換えるものであることを特徴とするカメラ本体。
【請求項９】
複数の操作子を備え、前記撮像レンズユニットの着脱に応じて、該複数の操作子のうちの少なくとも一つの操作子の機能を切り換える機能切換部を備えたことを特徴とする請求項８記載のカメラ本体。
【請求項１０】
前記再生モードが、前記表示画面に画像を表示するモードであるとともに、前記撮影モードも、前記表示画面に、前記撮像レンズユニットから受け取った画像信号に基づく画像を表示するモードであって、
前記カメラ本体への該撮像レンズユニットの着脱に応じて、前記表示画面に表示される画像の向きを切り換える機能切換部を備えたことを特徴とする請求項８記載のカメラ本体。
【請求項１１】
外部との通信を担う通信部を備え、前記撮像レンズユニットの着脱に応じて、該撮像レンズユニットの装着を受けて該通信部の機能をオフにするとともに該撮像レンズユニットの取外しを受けて該通信部の機能をオンにする機能切換部を備えたことを特徴とする請求項８記載のカメラ本体。
【請求項１２】
機能を自動で切り換える自動切換モードと機能の自動切換えが禁止された手動切換モードとを有し、これら自動切換モードと手動切換モードとを切り換える切換モード切換部を備え、
前記機能切換部は、該自動切換モードが設定されている場合に作用するものであることを特徴とする請求項９から１１のうちいずれか１項記載のカメラ本体。
【発明の詳細な説明】
【技術分野】
【０００１】
本発明は、撮影光学系と撮像素子とを備えた撮像レンズユニットが着脱自在に装着されるカメラ本体、およびそのカメラ本体と撮像レンズユニットとからなるカメラシステムに関する。
【背景技術】
【０００２】
従来、銀塩カメラの分野では、撮影レンズがカメラ本体に着脱自在に装着されてなるレンズ着脱式のカメラシステムが知られている。
【０００３】
近年、デジタルカメラの分野においても、銀塩カメラの分野と同様にレンズユニット着脱式のデジタルカメラが提案されている。例えば、撮像素子と光学系とが所定の位置関係に維持されるようにしたレンズユニットと、上記レンズユニットが接続されるカメラ本体とからなる、レンズユニットの交換の容易なカメラシステムが開示されている（例えば、特許文献１参照。）。
【０００４】
また、撮影レンズ、撮像素子、およびカメラ本体から制御プログラムを受け取りそれを記憶しておく記憶手段を有する交換レンズユニットと、上記撮像素子からの画像信号を信号処理したのち記録媒体に記録する処理手段、および上記記憶手段から受け取った上記制御プログラムに基づき上記処理手段を制御する中央処理装置を有する、上記交換レンズユニットが着脱自在に装着されるカメラ本体とからなるカメラシステムが開示されている（例えば、特許文献２参照。）。
【特許文献１】特開平８−１７２５６１号公報（第２−４頁、図１）
【特許文献２】特開２０００−１７５０８９号公報（第２−４頁、図１）
【発明の開示】
【発明が解決しようとする課題】
【０００５】
近年、液晶表示装置や各種通信デバイス技術の進歩に伴い、カメラに上記の撮影機能と記録機能だけではなく、撮影して得られた画像情報を再生する再生機能、あるいは他の機器との間で画像情報を送受信する通信機能などを持たせることが可能となり、そのような複数の機能を有するデジタルカメラが広く普及しつつある。
【０００６】
しかし、上記のような複数の機能をカメラに持たせると、カメラの操作性の面から種々の問題が生じる。例えば、従来のデジタルカメラでは、撮影光学系と撮像素子という精密素子が常時カメラ本体に取り付けられているので、カメラに衝撃が加わらないように注意深く操作しなければならない。
【０００７】
また、カメラの撮影操作は通常、横位置に保持された状態で行われるため、画像情報の再生時にも両手での操作が前提となるが、両手がふさがっていると移動時などにおけるカメラの操作性が低くなり不便なことが多い。
【０００８】
また、撮影光学系と撮像素子とを一体化させた撮像レンズユニットを備えたカメラシステムとし、撮像レンズユニットを交換可能とすることによって撮影機能を向上させることはできるが、再生機能や通信機能などについての操作性が低いままではカメラシステムとしては使いずらいという問題がある。
【０００９】
上記の特許文献１および特許文献２には、撮影機能および記録機能に関する発明が開示されてはいるものの、再生機能や通信機能などを含めたカメラシステム全体の操作性についての言及はなされていない。
【００１０】
本発明は、上記事情に鑑み、操作性の高いカメラ本体、およびそのカメラ本体とそのカメラ本体に着脱自在に装着される撮像レンズユニットとからなる、操作性の高いカメラシステムを提供することを目的とする。
【課題を解決するための手段】
【００１１】
上記目的を達成する本発明のカメラシステムは、
撮影光学系と撮像素子とを備えた撮像レンズユニットと、その撮像レンズユニットが着脱自在に装着される凹形状のマウント部を備えてそのマウント部に装着された撮像レンズユニットと通信を行いその撮像レンズユニットから画像信号を受け取って信号処理を行うカメラ本体とを有する、撮像レンズユニット着脱式のカメラシステムにおいて、
上記カメラ本体が、
上記マウント部開口を塞ぐとともに上記撮像レンズユニットの装着時にその撮像レンズユニットに押されて上記マウント部の凹部奥に後退するマウントバリアと、
上記マウント部への上記撮像レンズユニットの着脱を検知するセンサと、
画像信号に基づく画像を表示する表示画面と、
上記撮像レンズユニットから画像信号を受け取り信号処理を行って記録する撮影モードと、記録された画像信号を読み出してその画像信号に基づく画像を上記表示画面に表示する再生モードとを操作に応じて自在に切り換えるモード切換部とを備え、
上記モード切換部は、上記センサによる、上記撮像レンズユニットの取外しの検知を受けて強制的に再生モードに切り換えるものであることを特徴とする。
【００１２】
本発明のカメラシステムによれば、センサによる撮像レンズユニットの取外しの検知を受けてモード切換部が強制的に再生モードに切り換えるように構成されているので、ユーザの操作が簡略化され、高い操作性が得られる。
【００１３】
ここで、本発明のカメラシステムにおける上記カメラ本体が、複数の操作子を備え、そのカメラ本体への上記撮像レンズユニットの着脱に応じて、その複数の操作子のうちの少なくとも一つの操作子の機能を切り換える機能切換部を備えたものであってもよい。
【００１４】
本発明のカメラシステムを上記のように構成した場合は、複数の操作子を使用の状況に適した機能に切り換えることができるので、ユーザの操作がさらに簡略化され、より高い操作性が得られる。
【００１５】
また、本発明のカメラシステムにおける上記カメラ本体が、上記再生モードにおいて上記表示画面に画像を表示するとともに、上記撮影モードにおいても、上記表示画面に、上記撮像レンズユニットから受け取った画像信号に基づく画像を表示するものであって、
カメラ本体への撮像レンズユニットの着脱に応じて、上記表示画面に表示される画像の向きを切り換える機能切換部を備えたものであってもよい。
【００１６】
本発明のカメラシステムを上記のように構成した場合は、撮像レンズユニットの着脱に応じて表示画面に表示される画像の向きが切り換えられるので、ユーザの操作がさらに簡略化され、より高い操作性が得られる。
【００１７】
また、本発明のカメラシステムにおける上記カメラ本体が、外部との通信を担う通信部を備え、そのカメラ本体への上記撮像レンズユニットの着脱に応じて、その撮像レンズユニットの装着を受けてその通信部の機能をオフにするとともにその撮像レンズユニットの取外しを受けてその通信部の機能をオンにする機能切換部を備えたものであってもよい。
【００１８】
本発明のカメラシステムを上記のように構成した場合は、撮像レンズユニットの着脱に応じて通信部の機能をオンオフすることができるので、ユーザの操作がさらに簡略化され、より高い操作性が得られる。
【００１９】
また、本発明のカメラシステムにおける上記カメラ本体が、機能を自動で切り換える自動切換モードと機能の自動切換えが禁止された手動切換モードとを有し、これら自動切換モードと手動切換モードとを切り換える切換モード切換部を備えたものであり、
上記機能切換部は、その自動切換モードが設定されている場合に作用するものであってもよい。
【００２０】
本発明のカメラシステムを上記のように構成した場合は、切換モード切換部により自動切換モードと手動切換モードとを切り換えることができるので、ユーザの操作がさらに簡略化され、より高い操作性が得られる。
【００２１】
さらに、本発明のカメラシステムにおける上記通信部は、無線伝送を行う通信部であってもよく、また、有線伝送を行う通信部であってもよい。
【００２２】
本発明のカメラシステムを上記のように構成した場合は、無線伝送と有線伝送を自由に選択することができるので、ユーザの操作がさらに簡略化され、高い操作性が得られる。
【００２３】
また、上記目的を達成する本発明のカメラ本体は、
撮影光学系と撮像素子とを備えた撮像レンズユニットが着脱自在に装着される凹形状のマウント部を備えてそのマウント部に装着された撮像レンズユニットと通信を行いその撮像レンズユニットから画像信号を受け取って信号処理を行うカメラ本体において、
上記マウント部開口を塞ぐとともに上記撮像レンズユニットの装着時にその撮像レンズユニットに押されて上記マウント部の凹部奥に後退するマウントバリアと、
上記マウント部への上記撮像レンズユニットの着脱を検知するセンサと、
画像信号に基づく画像を表示する表示画面と、
上記撮像レンズユニットから画像信号を受け取り信号処理を行って記録する撮影モードと、記録された画像信号を読み出してその画像信号に基づく画像を上記表示画面に表示する再生モードとを操作に応じて自在に切り換えるモード切換部とを備え、
上記モード切換部は、上記センサによる、上記撮像レンズユニットの取外しの検知を受けて強制的に再生モードに切り換えるものであることを特徴とする。
【００２４】
本発明のカメラ本体によれば、モード切換部により、センサによる撮像レンズユニットの取外しの検知を受けて強制的に再生モードに切り換えるように構成されているので、ユーザの操作が簡略化され、高い操作性が得られる。
【００２５】
また、本発明のカメラ本体が、複数の操作子を備え、上記撮像レンズユニットの着脱に応じて、その複数の操作子のうちの少なくとも一つの操作子の機能を切り換える機能切換部を備えたものであってもよい。
【００２６】
本発明のカメラ本体を上記のような構成とした場合は、複数の操作子を使用の状況に適した機能に切り換えることができるので、ユーザの操作がさらに簡略化され、より高い操作性が得られる。
【００２７】
また、本発明のカメラ本体における上記再生モードが、上記表示画面に画像を表示するモードであるとともに、上記撮影モードも、上記表示画面に、上記撮像レンズユニットから受け取った画像信号に基づく画像を表示するモードであって、
上記カメラ本体へのその撮像レンズユニットの着脱に応じて、上記表示画面に表示される画像の向きを切り換える機能切換部を備えたものであってもよい。
【００２８】
本発明のカメラ本体を上記のような構成とした場合は、撮像レンズユニットの着脱に応じて表示画面に表示される画像の向きが切り換えられるので、ユーザの操作がさらに簡略化され、より高い操作性が得られる。
【００２９】
また、本発明のカメラ本体が、外部との通信を担う通信部を備え、上記撮像レンズユニットの着脱に応じて、その撮像レンズユニットの装着を受けてその通信部の機能をオフにするとともにその撮像レンズユニットの取外しを受けてその通信部の機能をオンにする機能切換部を備えたものであってもよい。
【００３０】
本発明のカメラ本体を上記のような構成とした場合は、撮像レンズユニットの着脱に応じて通信部の機能をオンオフすることができるので、ユーザの操作がさらに簡略化され、より高い操作性が得られる。
【００３１】
また、本発明のカメラ本体が、機能を自動で切り換える自動切換モードと機能の自動切換えが禁止された手動切換モードとを有し、これら自動切換モードと手動切換モードとを切り換える切換モード切換部を備え、
上記機能切換部は、その自動切換モードが設定されている場合に作用するものであってもよい。
【００３２】
本発明のカメラ本体を上記のような構成とした場合は、切換モード切換部により自動切換モードと手動切換モードとを切り換えることができるので、ユーザの操作がさらに簡略化され、より高い操作性が得られる。
【発明の効果】
【００３３】
以上説明したように、本発明によれば、操作性の高いカメラシステム、並びに、そのカメラシステムを構成するカメラ本体を実現することができる。
【発明を実施するための最良の形態】
【００３４】
以下図面を参照して本発明の実施の形態を説明する。
【００３５】
図１は、本発明の一実施形態のカメラシステムを前面から見た外観図である。
【００３６】
図１に示すように、このカメラシステム１００は、撮像レンズユニット１１０とカメラ本体１５０とを有する撮像レンズユニット着脱式のカメラシステムであり、撮像レンズユニット１１０の基部に設けた複数の突起部１０１を、カメラ本体１５０側の、撮像レンズユニット１１０が着脱自在に装着される凹形状のマウント部１５１の内側に設けられた、上記突起部１０１と係合する係合部１０２に係合させて撮像レンズユニット１１０をカメラ本体１５０に装着して、カメラ本体１５０と撮像レンズユニット１１０との間で通信を行い、カメラ本体１５０は撮像レンズユニット１１０から画像信号を受け取って信号処理を行うようになっている。
【００３７】
撮像レンズユニット１１０は、撮影光学系１１１および撮像素子（図示せず）を備えている。
【００３８】
カメラ本体１５０は、上記マウント部１５１と、マウント部１５１の開口を塞ぐとともに、撮像レンズユニット１１０の装着時に撮像レンズユニット１１０に押されてマウント部１５１の凹部奥に後退するマウントバリア１５２と、内部に設けられた、撮像レンズユニット１１０との間で通信を行うための本体側電気接点（図示せず）と、マウント部１５１への撮像レンズユニット１１０の着脱を検知するセンサ（図示せず）とを備えている。
【００３９】
このカメラ本体１５０は、撮像レンズユニット１１０から画像信号を受け取り信号処理を行って記録する撮影機能を有するとともに、カメラ本体１５０内部に記憶されている画像信号を読み出してその画像信号に基づく画像を、カメラ本体１５０の裏面側に備えられた表示画面（図示せず）に表示する再生機能を有している。
【００４０】
図２は、図１に示したカメラシステムにおける撮像レンズユニット装着時のカメラ本体のみを示す外観図である。
【００４１】
このカメラ本体１５０に、撮像レンズユニット（図１参照）が装着される時に、上記センサの検知ピン１８０ａは撮像レンズユニットの基部１２０（図１参照）との接触により撮像レンズユニット１１０がマウント部１５１に装着されたことが検知される。また、この時、マウントバリア１５２は撮像レンズユニットの基部１２０に押されてマウント部１５１の凹部奥に後退する。この状態で撮像レンズユニット１１０を所定の方向に回転することにより、撮像レンズユニットの突起部１０１（図１参照）とマウント部１５１の内側に設けられた係合部１０２とが係合し、それとともにレンズユニット側電気接点（図示せず）と本体側電気接点１７０とが電気的に接続されて撮像レンズユニット１１０とカメラ本体１５０との通信が可能な状態となる。
【００４２】
なお、本実施形態では、図１および図２に示したような突起部１０１および係合部１０２による回転式の係合方式を採用したカメラシステムについて説明したが、本発明のカメラシステムは上記の係合方式のみに限られるものではなく、例えば、撮像レンズユニット１１０をカメラ本体１５０のマウント部に押し当てるだけで係合が行われる係合方式を採用したものであってもよい。
【００４３】
図３は、本発明の一実施形態のカメラシステムを示すブロック図である。
【００４４】
図３に示すように、このカメラシステム１００は、撮影光学系１１１と撮像素子１１２と備えた撮像レンズユニット１１０と、その撮像レンズユニット１１０が着脱自在に装着されるマウント部１５１を備え、マウント部１５１に装着された撮像レンズユニット１１０と通信を行い撮像レンズユニット１１０から画像信号を受け取って信号処理を行うカメラ本体１５０とを有するカメラシステムである。
【００４５】
撮像レンズユニット１１０には、上記撮影光学系１１１、撮像素子１１２、およびレンズユニット側電気接点１２１のほかに、撮像素子１１２から出力された画像信号（ＣＣＤ＿ＲＡＷ）のゲイン調整、ノイズ低減などの処理を行うアナログ処理回路１１３、アナログ信号をデジタル信号に変換するＡ／Ｄ（Ｄｉｇｉｔａｌ／Ａｎａｌｏｇ）変換器１１４、パラレル信号をシリアル信号に変換するパラレル／シリアル変換伝送インターフェース１１５、ユーザからの操作指示を受ける撮像レンズユニット操作部１１８、自動露出制御／自動焦点制御を行うＡＥ／ＡＦ制御回路１１６、撮像レンズユニット１１０内の各部の動作を制御するサブＣＰＵ（Ｃｅｎｔｒａｌ  Ｐｒｏｃｅｓｓｉｎｇ  Ｕｎｉｔ）１１７、レンズユニット側電気接点１２１を介してカメラ本体１５０から受け取ったＤＣ電圧を、撮像レンズユニット１１０内の各部が必要とするＤＣ電圧に変換して供給するＤＣ／ＤＣコンバータ１１９などが備えられている。
【００４６】
撮影光学系１１１で撮影され、撮像素子１１２から出力されたＣＣＤ＿ＲＡＷ信号はアナログ処理回路１１３でゲイン調整、ノイズ低減などの処理が行われた後、Ａ／Ｄ変換器１１４によりデジタル信号に変換され、パラレル／シリアル変換伝送インターフェース１１５によりシリアル信号に変換された後、レンズユニット側電気接点１２１および本体側電気接点１７０を介してカメラ本体１５０に送信される。なお、撮像素子１１２としては、ＣＣＤ（Ｃｈａｒｇｅ  Ｃｏｕｐｌｅｄ  Ｄｅｖｉｃｅｓ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などを用いることができる。
【００４７】
なお、レンズユニット側電気接点１２１と本体側電気接点１７０と接続については、図５を参照して詳細に説明する。
【００４８】
カメラ本体１５０は、上述のマウント部１５１、マウントバリア１５２、本体側電気接点１７０、およびセンサ１８０のほかに、ユーザからの操作指示を受けるカメラ本体操作部１５３、カメラ本体１５０全体の制御を司るＣＰＵ１５４、撮像レンズユニット１１０から受け取ったＣＣＤ＿ＲＡＷ信号のホワイトバランス補正やγ補正を行ったり、ＣＣＤ＿ＲＡＷ信号をＹＣｂＣｒ信号（輝度／色相差信号）に変換したりする信号処理ブロック１６２、ＣＣＤ＿ＲＡＷ信号、ＹＣｂＣｒ信号、圧縮後のデータなどを一時保存するメモリバッファ１６１、メモリバッファ１６１を制御するメモリコントローラ１５６、撮像レンズユニット１１０との間の送受信信号のパラレル／シリアル変換処理を行うパラレル／シリアル変換伝送インターフェース１５５、ＹＣｂＣｒ信号を圧縮／伸長する圧縮伸長ブロック１６３、メモリバッファ１６１に保存されたデジタル信号をアナログ信号に変換するＤ／Ａ変換器１５７、Ｄ／Ａ変換器１５７から出力されたアナログ信号に基づく画像を表示する、例えばＬＣＤ（Ｌｉｑｕｉｄ  Ｃｒｙｓｔａｌ  Ｄｉｓｐｌａｙ ）などからなる、カメラ本体１５０に取外し自在な表示画面１８３、表示画面１８３をカメラ本体１５０に固定する表示画面固定部１８２、Ｄ／Ａ変換器１５７から受け取ったアナログ信号により表示画面１８３を駆動する駆動回路１８１、圧縮された画像情報を外部の、例えばメモリカードなどの記憶媒体２００に記録するためのメディアインターフェース１５９およびコネクタ１６０、カメラ本体１５０の各部に必要な電源を供給するとともに本体側電気接点１７０を介して撮像レンズユニット１１０側に必要な電源を供給する電源部１６４などを備えている。
【００４９】
さらに、このカメラ本体１５０には、ＣＰＵ１５４からの指令に基づき撮像レンズユニット１１０との通信を行うための通信インタフェース１８４およびアンテナ１８５が備えられている。これらの通信インタフェース１８４およびアンテナ１８５は、本発明にいう通信部に相当するものである。
【００５０】
なお、図３には、上記通信部として、通信インタフェース１８４およびアンテナ１８５を備えた無線伝送を行う通信部の例を示したが、上記通信部を、有線伝送を行う通信部として構成してもよい。
【００５１】
このカメラ本体１５０は、撮像レンズユニット１１０から画像信号を受け取り信号処理を行って記録する撮影モードと、記録された画像信号を読み出して該画像信号に基づく画像を前記表示画面に表示する再生モードとの２つのモードを有しており、これら２つのモードを操作に応じて自在に切り換えるモード切換部１９０を備えている。
【００５２】
このモード切換部１９０は、センサ１８０による、撮像レンズユニット１１０の取外しの検知を受けて強制的に再生モードに切り換えるようになっている。
【００５３】
また、本実施形態のカメラ本体１５０には、以下に説明する３つの作用を行う機能切換部１９１が備えられている。
【００５４】
機能切換部１９１の３つの作用のうちの第１の作用は、本実施形態のカメラ本体１５０に備えられている複数の操作子（後述する）のうちの一つの操作子、例えば十字キー１９４（図６参照）の機能を、カメラ本体１５０への撮像レンズユニット１１０の着脱に応じて切り換える作用である。
【００５５】
また、本実施形態のカメラ本体１５０は、上記再生モードにおいて表示画面１８３の表示画面上に画像を表示するとともに、上記撮影モードにおいても、表示画面１８３に、撮像レンズユニット１１０から受け取った画像信号に基づく画像を表示するように構成されている。このように構成されたカメラ本体１５０において、カメラ本体１５０への撮像レンズユニット１１０の着脱に応じて、表示画面１８３に表示される画像の向きを切り換える作用が上記機能切換部１９１の３つの作用のうちの第２の作用に相当するものである。
【００５６】
また、上記機能切換部１９１の３つの作用のうちの第３の作用は、カメラ本体１５０への撮像レンズユニット１１０の着脱に応じて、撮像レンズユニット１１０の装着を受けて通信インタフェース１８４およびアンテナ１８５による通信機能をオフにするとともに撮像レンズユニット１１０の取外しを受けて通信インタフェース１８４およびアンテナ１８５による通信機能をオンにする作用である。
【００５７】
また、本実施形態のカメラ本体１５０は、機能を自動で切り換える自動切換モードと機能の自動切換えが禁止された手動切換モードとを有しており、これら自動切換モードと手動切換モードとを切り換える切換モード切換部１９２を備えている。
【００５８】
本実施形態では、前述の機能切換部１９１は、切換モード切換部１９２により上記自動切換モードが設定されている場合に作用するように構成されている。
【００５９】
なお、本発明のカメラシステムは、図３に示した実施形態のみに限定されるものではなく、例えば、撮像レンズのバリエーション、ＣＣＤの画素数、動画撮影用／静止画撮影用、手振れ補正などの撮影補助機構の有無、立体映像撮影用の複数のＣＣＤおよびレンズを備えたカメラシステムなど、用途に応じて種々の形態のカメラシステムとして構成することができる。
【００６０】
図４は、撮像レンズユニット装着前の本実施形態のカメラシステムの断面図である。
【００６１】
図４には、撮像レンズユニット１１０が装着される前のカメラ本体１５０が示されている。カメラ本体１５０には、撮像レンズユニット１１０が着脱自在に装着される凹形状のマウント部１５１が備えられており、マウント部１５１内部には、本体側電気接点１７０と、マウントバリア１５２とが備えられている。本体側電気接点１７０は、カメラ本体１５０内に設けられたＣＰＵ１５４（図３参照）などの各素子が実装された回路基板１７３に接続されており、レンズユニット側電気接点１２１と接続されることによって、カメラ本体１５０と撮像レンズユニット１１０との間の信号の送受信が可能となる。
【００６２】
マウントバリア１５２は、マウント部１５１の開口を塞ぐとともに、撮像レンズユニット１１０の装着時に撮像レンズユニット１１０に押されてマウント部１５１の凹部奥に後退するように構成されている。このマウントバリア１５２は、マウント部１５１内部の本体側電気接点１７０を保護するとともに、カメラ本体１５０内部へのゴミの進入を防ぐためのものであり、アルミニウムなどで形成されている。
【００６３】
マウント部１５１内部にはセンサ１８０が配備されており、図４には、センサ１８０の検知ピン１８０ａがマウント部１５１表面から突出している状態が示されている。この検知ピン１８０ａがマウント部１５１内に引き込められた状態となった時に、センサ１８０は撮像レンズユニット１１０が装着されたことを検知するようになっている。
【００６４】
本実施形態では、マウントバリア１５２は、バネ１７１による付勢を受けてマウント部１５１の開口を塞ぐようになっており、撮像レンズユニット１１０がカメラ本体１５０に装着される時には撮像レンズユニット１１０の基部１２０（図３，５）に押されてマウント部１５１の凹部奥に後退するとともに撮像レンズユニット１１０がカメラ本体１５０から取り外された時にはバネ１７１の付勢によりマウント部１５１の開口を塞ぐ位置に戻るようになっている。
【００６５】
図５は、撮像レンズユニット装着後の本実施形態のカメラシステムの断面図である。
【００６６】
図５には、内部にＣＰＵ１５４その他の素子が実装された回路基板１７３を有するカメラ本体１５０のマウント部１５１に、内部に撮影光学系１１１、撮像素子１１２その他の素子が実装された回路基板１２３を有する撮像レンズユニット１１０が装着された状態が示されている。
【００６７】
図４に示した状態のカメラ本体１５０に、撮像レンズユニット１１０を装着するには、撮像レンズユニット１１０の基部１２０でマウントバリア１５２をマウント部１５１の凹部奥に押圧しながら撮像レンズユニット１１０をレンズ光軸を中心に所定の方向に回転させて、撮像レンズユニット１１０側の突起部１０１（図１参照）とカメラ本体１５０側の係合部１０２（図１参照）とを互いに係合させることにより、図５に示した装着状態とすることができる。
【００６８】
こうして、撮像レンズユニット１１０の突起部１１０（図１参照）とカメラ本体１５０の係合部１０２とが係合されるとともに、本体側電気接点１７０とレンズユニット側電気接点１２１とが接続される。レンズユニット側電気接点１２１および本体側電気接点１７０は、それぞれ、電源、グランド、ＣＣＤ＿ＲＡＷ信号、ＡＥ／ＡＦ用制御信号、撮像レンズユニット制御信号などの複数の電気接点から構成されており、レンズユニット側電気接点１２１と本体側電気接点１７０とが接続されることによって撮像レンズユニット１１０の回路基板１２３とカメラ本体１５０の基板１７０との間の電源の授受および各種信号の送受信が可能となる。
【００６９】
カメラ本体１５０から撮像レンズユニット１１０を取り外す時には、撮像レンズユニット１１０をレンズ光軸を中心に上記の方向とは逆の方向に回転することにより、前述の突起部１１０（図１参照）と係合部１０２との係合が解除されるとともに本体側電気接点１７０とレンズユニット側電気接点１２１との接続が解除され、撮像レンズユニット１１０の取外しが完了する。
【００７０】
図６は、本実施形態のカメラ本体の前面および裏面を示す図である。
【００７１】
図６（ａ）には、撮像レンズユニット１１０が装着されたカメラ本体１５０が横位置に保持された状態が示されており、図６（ｂ）には、撮像レンズユニット１１０が装着されていないカメラ本体１５０が縦位置に保持された状態が示されている。マウント部１５１の開口はマウントバリア１５２によって塞がれている。
【００７２】
図６（ａ）、図６（ｂ）に示すように、このカメラ本体１５０の上面にはレリーズボタン１９３が配備され、また裏面には表示画面１８３、および十字キー１９４、電源／撮影／再生切換スイッチ１９５などの複数の操作子からなる操作面が形成されている。
【００７３】
レリーズボタン１９３は、カメラ本体１５０に撮像レンズユニット１１０が装着された撮影モードにおいては、いわゆるシャッターボタンとして使用される操作子である。
【００７４】
十字キー１９４は、２つの左右キー１９４ａ，１９４ｂ、２つの上下キー１９４ｃ，１９４ｄ、およびそれら４つのキーの中央に配置された中央キー１９４ｅからなり、ストロボモード（自動強制発光、赤目防止発光）と近接撮影モードとの切換、コマ送り、再生されている画像の拡大、縮小の指定などの操作子として使用される。
【００７５】
電源／撮影／再生切換スイッチ１９５は、電源のオンオフ、および撮影モードと再生モードとの切換などの操作子として使用される。
【００７６】
また、図６（ｂ）に示すカメラ本体１５０には、このカメラ本体１５０の通信部を構成する無線通信用のアンテナ１８５が備えられている。なお、このアンテナ１８５の代わりにＵＳＢ（Ｕｎｉｖｅｒｓａｌ  Ｓｅｒｉａｌ  Ｂｕｓ）ケーブル１８６を用いて通信相手の機器と通信するようにしてもよい。
【００７７】
本実施形態のカメラシステム１００では、撮像レンズユニット１１０が装着されていないときには、モード切換部１９０は、センサ１８０による検知信号を受けて強制的に再生モードに切り換えるようになっている。すなわち、撮像レンズユニット非装着時には自動的に撮影モードへの切換は禁止され、撮像レンズユニット１１０が装着されているときには、モード切換部１９０は、撮影モードまたは再生モードへの切換えを許可する。
【００７８】
また、このカメラシステム１００には、カメラ本体１５０への撮像レンズユニット１１０の着脱に応じて、上記複数の操作子のうちの少なくとも一つの操作子の機能を切り換える機能切換部１９１（図３参照）が備えられており、例えば、撮像レンズユニット装着時の撮影モードにおけるカメラ本体１５０の片手での操作を可能とするため、レリーズボタン１９３、十字キー１９４などの機能を切り換えることができるようになっている。すなわち、撮像レンズユニット装着時は、通常、図６（ａ）に示すように、カメラ本体１５０は横位置に保持されて操作されることが多いので、レリーズボタン１９３は、いわゆるシャッターボタンとして使用されるようになっているが、例えばカメラ本体１５０を右手だけで縦位置に保持して操作する場合には、図６（ｂ）に示すように、レリーズボタン１９３は左手親指で操作しやすい状態となっているので、レリーズボタン１９３を、十字キー１９４の中央キー１９４ｅの代わりに、メニュー画面（後述）における決定（ＯＫ）ボタンとして使用されるようにしてもよい。
【００７９】
十字キー１９４は、撮像レンズユニット１１０が装着され、かつカメラ本体１５０が横位置に保持される時には、例えば、図６（ａ）に示すように、十字キー１９４の２つの左右キー１９４ａ，１９４ｂにコマ送り／戻りの操作子としての機能を持たせるとともに、２つの上下キー１９４ｃ，１９４ｄに表示画面の拡大／縮小の操作子としての機能を持たせるようにする。
【００８０】
また、撮像レンズユニット１１０が装着されておらず、かつカメラ本体１５０が縦位置に保持される時には、図６（ｂ）に示すように、２つの左右キー１９４ａ，１９４ｂに表示画面の拡大／縮小の操作子としての機能を持たせ、２つの上下キー１９４ｃ，１９４ｄにコマ送り／戻りの操作子としての機能を持たせるように、十字キー１９４の機能を切り換える。
【００８１】
これら操作子の機能の切換えは−機能切換部１９１により行われる。この機能切換部１９１により、カメラ本体１５０を横位置または縦位置のいずれの位置に保持した場合でもその保持位置に適した操作子の機能に切り換えられるので、このカメラシステムの操作性は著しく向上する。
【００８２】
また、前述の機能切換部１９１により、カメラ本体１５０への撮像レンズユニット１１０の着脱に応じて、撮像レンズユニット１１０の装着を受けて上記通信部（図３参照、通信インタフェース１８４およびアンテナ１８５からなる）の機能をオフにするとともに、撮像レンズユニット１１０の取外しを受けて上記通信部の機能をオンにするように構成してもよい。このようにカメラ本体１５０への撮像レンズユニット１１０の着脱に応じて通信機能を自動的にオン／オフするように構成することにより、このカメラシステムの操作性をさらに向上させることができる。
【００８３】
図７は、本実施形態のカメラ本体の動作シーケンスを示すフローチャートである。
【００８４】
図７に示すように、このカメラ本体の電源／撮影／再生切換スイッチ１９５（図６（ａ）参照）がオンになる（ステップＳ０１）と、センサ１８０（図３参照）によりカメラ本体１５０に撮像レンズユニット１１０が装着されているか否かが検知される（ステップＳ０２）。
【００８５】
ステップＳ０２における検知の結果、カメラ本体１５０に撮像レンズユニット１１０が装着されていると判定された場合は、カメラ本体１５０と撮像レンズユニット１１０との間の通信チェック（図３参照、レンズユニット側電気接点１２１と本体側電気接点１７０との間の各種の信号の授受が確実に行われるか否かのチェック）が行われ（ステップＳ０３）、そのチェック結果がＯＫであれば、通常のＤＳＣ（Ｄｉｇｉｔａｌ  Ｓｔｉｌｌ  Ｃａｍｅｒａ）と同様、撮影モードおよび再生モードの双方の操作が可能な状態となる（ステップＳ０４）。
【００８６】
一方、ステップＳ０２における検知の結果、カメラ本体１５０に撮像レンズユニット１１０が装着されていないと判定された場合はステップＳ０５に進む。
【００８７】
ステップＳ０５では、モード切換部１９０（図３参照）により、センサ１８０による、撮像レンズユニット１１０の取外しの検知を受けて強制的に再生モードに切り換えられる。
【００８８】
また、機能切換部１９１（図３参照）により、レリーズボタン１９３（図６参照）の機能を各種メニューの決定（ＯＫ）ボタンとして使用されるように切り換え、また、十字キー１９４（図６参照）の左右キーの操作機能と上下キーの操作機能とを入れ換え、さらに、表示画面１８３（図３参照）におけるコマ番号、メニューの表示方向を左右方向からを上下方向に変更する。また、表示画面１８３における画像の表示位置も横位置から縦位置に変更する。そして、撮影モードの操作が禁止される。
【００８９】
次に、機能切換部１９１（図３参照）は、カメラ本体１５０に撮像レンズユニット１１０が装着されていないことを受けて上記通信部（図３参照、通信インタフェース１８４およびアンテナ１８５）の機能をオンにする。こうして上記通信部の機能が有効となり、表示画面１８３（図３参照）に通信メニュー（図９参照、後述）が表示される（ステップＳ０６）。
【００９０】
次に、通信メニューによる通信手段の選択が行われる（ステップＳ０７）。
【００９１】
ステップＳ０７において通信手段の使用が選択されなかった場合は再生すべき画像のコマが選択され、選択されたコマの画像が再生され表示画面１８３（図３参照）に表示される（ステップＳ０８）。
【００９２】
ステップＳ０７において通信手段の使用が選択された場合はステップＳ０９に移行し通信相手の機器の検出が行われ、検出された通信相手の機器、例えば、無線伝送方式の通信機器または有線伝送方式の通信機器、例えばＵＳＢ機器などの中から所望の通信機器が選択される（ステップＳ１０）。
【００９３】
次に、送信すべき画像のコマの選択が行われ、選択された画像が再生される（ステップＳ１１）。次に、それまでに再生された画像を送信するか否かの選択が行われる（ステップＳ１２）。
【００９４】
ステップＳ１２において、送信が選択されなかった場合はステップＳ１１に戻り、画像のコマ選択および選択された画像の再生が行われた後、ステップＳ１２以降の処理が繰り返される。
【００９５】
ステップＳ１２において、送信が選択された場合には、ステップＳ１３に移行し、選択された画像の送信が行われた後、ステップＳ１１以降の処理が繰り返される。
【００９６】
図８は、本実施形態のカメラ本体のメニュー画面を示す図である。
【００９７】
図８に示したメニュー画面２０１は、図７に示すフローチャートでは説明を省略したが、本実施形態のカメラ本体１５０の電源スイッチがオンとされた時、表示画面１８３（図３参照）に最初にこのメニュー画面２０１が表示されるように構成することにより、モード切換部１９０（図３参照）のモード切換動作を有効とするか無効とするかの選択ができる。
【００９８】
図８に示すように、このメニュー画面２０１には「Ｍａｉｎ  Ｍｅｎｕ」モードと「Ｔｒａｎｓｍｉｔ」モードの２つのモードが表示され、どちらか一つのモードを選択するようになっている。これらのうち「Ｍａｉｎ  Ｍｅｎｕ」モードをクリックするとセットアップ画面２０２が表示される。
【００９９】
セットアップ画面２０２には「Ｃａｍｅｒａ  Ｓｅｔ  Ｕｐ」、「Ｄｉｓｐｌａｙ  Ｓｅｔ  Ｕｐ」、「Ｌｅｎｓ  Ｄｅｔｅｃｔｉｏｎ  Ｓｅｔ  Ｕｐ」、および「Ｒｅｌｅａｓｅ  Ｂｕｔｔｏｎ  ｕｓｅ」の４つの項目が表示される。
【０１００】
セットアップ画面２０２の「Ｃａｍｅｒａ  Ｓｅｔ  Ｕｐ」モードをクリックすると「Ａｕｔｏ  Ｌｅｎｓ  Ｄｅｔｅｃｔｉｏｎ  ＯＮ  ＯＦＦ」というメッセージからなる選択画面２０３が表示される。この選択画面２０３では「ＯＮ」がデフォールトとなっているので、「ＯＮ」、「ＯＦＦ」のいずれをもクリックしない場合には、センサ１８０（図３参照）による撮像レンズユニット１１０の取外しの検知を受けて強制的に再生モードに切り換えるモード切換部１９０の切換動作が有効のままとなっているが、ここで、「ＯＦＦ」をクリックすることによりモード切換部１９０の切換動作を無効にすることができる。なお、このセットアップ画面２０２は、撮影モード、再生モードのいずれのモードからでも操作可能である。
【０１０１】
セットアップ画面２０２の「Ｄｉｓｐｌａｙ  Ｓｅｔ  Ｕｐ」をクリックすると「Ｄｉｓｐｌａｙ  ｍｏｄｅ  ＯＮ  ＯＦＦ」というメッセージ（図示せず）が表示される。ここでも「ＯＮ」がデフォールトになっているので、「ＯＮ」、「ＯＦＦ」のいずれをもクリックしない場合には、切換モード切換部１９２により、撮像レンズユニット１１０の着脱に応じて表示画面の画像の向きが自動で切り換えられる自動切換モードのままとなっているが、ここで、「ＯＦＦ」をクリックすると、切換モード切換部１９２により手動切換モードに切り換えられ、ユーザの操作に応じて表示画面の画像の向きを縦横いずれにも切換え可能な状態となる。
【０１０２】
セットアップ画面２０２の「Ｌｅｎｓ  Ｄｅｔｅｃｔｉｏｎ  Ｓｅｔ  Ｕｐ」をクリックすると、「Ｔｒａｎｓｍｉｓｓｉｏｎ  ｍｏｄｅ  ＯＮ  ＯＦＦ」、「Ｏｐｅｒａｔｉｎｇ  Ｏｒｉｅｎｔａｔｉｏｎ  ＯＮ  ＯＦＦ」、および「Ｒｅｌｅａｓｅ  Ｂｕｔｔｏｎ  ｕｓｅ  ＯＮ  ＯＦＦ」の３項目からなる選択画面２０４が表示される。
【０１０３】
選択画面２０４では、上記３項目とも「ＯＮ」がデフォールトとなっており、「ＯＮ」、「ＯＦＦ」いずれをもクリックしない場合は、上記３項目ともに、切換モード切換部１９２（図３参照）により、機能を自動で切り換える自動切換モードに設定され、機能切換部１９１（図３参照）は前述の３つの作用を行うことが可能である。
【０１０４】
ここで、選択画面２０４の「Ｔｒａｎｓｍｉｓｓｉｏｎ  ｍｏｄｅ」の「ＯＦＦ」をクリックすると、切換モード切換部１９２により手動切換モードに切り換えられ、機能切換部１９１による、通信機能をオンオフする作用が無効となる。
【０１０５】
また、選択画面２０４の「Ｏｐｅｒａｔｉｎｇ  Ｏｒｉｅｎｔａｔｉｏｎ」の「ＯＦＦ」をクリックすると、切換モード切換部１９２により手動切換モードに切り換えられ、機能切換部１９１による、操作子、例えば十字キー１９４（図６参照）の機能をカメラ本体１５０への撮像レンズユニット１１０の着脱に応じて切り換える作用が無効となる。
【０１０６】
また、選択画面２０４の「Ｒｅｌｅａｓｅ  Ｂｕｔｔｏｎ  ｕｓｅ」の「ＯＦＦ」をクリックすると、切換モード切換部１９２により手動切換モードに切り換えられ、機能切換部１９１による、レリーズボタン１９３（図６参照）の機能をカメラ本体１５０への撮像レンズユニット１１０の着脱に応じて切り換える作用が無効となる。
【０１０７】
セットアップ画面２０２の「Ｒｅｌｅａｓｅ  Ｂｕｔｔｏｎ  ｕｓｅ」をクリックすると「Ｍｅｎｕ／ＯＫ（Ｄｅｆａｕｌｔ）」および「Ｐｒｉｎｔ  Ｏｒｄｅｒ」の指定を行うことができる。「Ｍｅｎｕ／ＯＫ（Ｄｅｆａｕｌｔ）」は、レリーズボタン１９３の未装着時の機能を、メニュー画面（後述）におけるＯＫボタンとして指定するか否かを選択するものである。また、「Ｐｒｉｎｔ  Ｏｒｄｅｒ」は、表示画面に再生されている画像をプリントするか否かの指定をレリーズボタン１９３で行うことができるようにするか否かを選択するものである。この場合、レリーズボタン１９３を押すことにより、再生されている画像ファイルをプリントする旨を指定するプリント指定情報がメモリカードなどの記憶媒体２００の所定領域に記録される。さらに、レリーズボタン１９３を複数回押すことにより、プリントする枚数を指定できるようにすることもできる。
【０１０８】
なお、図６（ａ）に示したように、カメラ本体１５０に撮像レンズユニット１１０が装着され、カメラ本体１５０が横位置に保持されている時には、十字キー１９４の２つの左右キー１９４ａ，１９４ｂは、ストロボモード（自動強制発光、赤目防止発光）と近接撮影モードとを切換える操作子として使用され、２つの上下キー１９４ｃ，１９４ｄは、前述のメニュー画面２０１における項目の選択を行う操作子として使用され、中央のキー１９４ｅは、メニュー画面２０１における決定（ＯＫ）ボタンとして使用される。
【０１０９】
また、図６（ｂ）に示したように、カメラ本体１５０に撮像レンズユニット１１０が装着されておらず、カメラ本体１５０が縦位置に保持されている時には、十字キー１９４の２つの左右キー１９４ａ，１９４ｂは、表示画面１８３に再生表示されている画像のそれぞれ拡大または縮小を指定する操作子として使用され、２つの上下キー１９４ｃ，１９４ｄは、それぞれ正逆方向へのコマ送りの操作子として使用される。
【０１１０】
また、図６（ｂ）に示したように、カメラ本体１５０に撮像レンズユニット１１０が装着されておらず、カメラ本体１５０が縦位置に保持されている時には、機能切換部１９１により、カメラ本体１５０への撮像レンズユニット１１０の着脱に応じて表示画面１８３に表示される画像の向きが縦位置用の向きに切り換えられる。
【０１１１】
なお、中央キー１９４ｅは、撮像レンズユニット１１０が装着されている状態では、メニュー画面２０１における決定（ＯＫ）ボタンとして使用されるが、撮像レンズユニット１１０が装着されていない状態では、このキー１９４ｅは操作しにくいので、代わりにレリーズボタン１９３がメニュー画面２０１における決定（ＯＫ）ボタンとして使用される。
【０１１２】
図９は、本実施形態の通信手段選択画面を示す図である。
【０１１３】
この通信手段選択画面２０６により、通信に使用する「Ｍｅｄｉａ」（通信媒体）と「Ｔｒａｎｓｍｉｓｓｉｏｎ  ｃａｐａｂｉｌｉｔｙ」（通信容量）を選択するようになっている。この例では、通信媒体としてＵＳＢとＲＦ（無線通信機器）の中から一つが選択できるようになっており、通信容量としては通信速度が入力されるようになっている。
【図面の簡単な説明】
【０１１４】
【図１】本発明の一実施形態のカメラシステムを前面から見た外観図である。
【図２】図１に示したカメラシステムにおける撮像レンズユニット装着時のカメラ本体のみを示す外観図である。
【図３】本発明の一実施形態のカメラシステムを示すブロック図である。
【図４】撮像レンズユニット装着前の本実施形態のカメラシステムの断面図である。
【図５】撮像レンズユニット装着後の本実施形態のカメラシステムの断面図である。
【図６】本実施形態のカメラ本体の前面および裏面を示す図である。
【図７】本実施形態のカメラ本体の動作シーケンスを示すフローチャートである。
【図８】本実施形態のカメラ本体のメニュー画面を示す図である。
【図９】本実施形態の通信手段選択画面を示す図である。
【符号の説明】
【０１１５】
１００    カメラシステム
１１０    撮像レンズユニット
１０１    突起部
１０２    係合部
１１０    撮像レンズユニット
１１１    撮影光学系
１１２    撮像素子
１１３    アナログ処理回路
１１４    Ａ／Ｄ変換器
１１５    パラレル／シリアル変換伝送インターフェース
１１６    ＡＥ／ＡＦ制御回路
１１７    サブＣＰＵ
１１８    撮像レンズユニット操作部
１１９    ＤＣ／ＤＣコンバータ
１２０    基部
１２１    レンズユニット側電気接点
１２３    回路基板
１５０    カメラ本体
１５１    マウント部
１５２    マウントバリア
１５３    カメラ本体操作部
１５４    ＣＰＵ
１５５    パラレル／シリアル変換伝送インターフェース
１５６    メモリコントローラ
１５７    Ｄ／Ａ変換器
１５９    メディアインターフェース
１６０    コネクタ
１６１    メモリバッファ
１６２    信号処理ブロック
１６３    圧縮伸長ブロック
１６４    電源部
１７０    本体側電気接点
１７１    バネ
１７３    回路基板
１８０    センサ
１８０ａ    検知ピン
１８１    駆動回路
１８２    表示画面固定部
１８３    表示画面
１８４    通信インタフェース
１８５    アンテナ
１８６    ＵＳＢケーブル
１９０    モード切換部
１９１    機能切換部
１９２    切換モード切換部
１９３    レリーズボタン
１９４    十字キー
１９４ａ，１９４ｂ    左右キー
１９４ｃ，１９４ｄ    上下キー
１９４ｅ    中央キー
１９５    電源／撮影／再生切換スイッチ
２００    記憶媒体
２０１    メニュー画面
２０２    セットアップ画面
２０３，２０４    選択画面
２０６    通信手段選択画面
【図１】
2005286497.tif 000003
【図２】
2005286497.tif 000004
【図３】
2005286497.tif 000005
【図４】
2005286497.tif 000006
【図５】
2005286497.tif 000007
【図６】
2005286497.tif 000008
【図７】
2005286497.tif 000009
【図８】
2005286497.tif 000010
【図９】
2005286497.tif 000011